(57)【要約】【課題】  複数のＬＥＤチップを備えて、必要に応じた光量が得られ、故障した際のメンテナンスが簡単なＬＥＤ照明装置の提供。【解決手段】  複数のＬＥＤチップ７，７・・を基板６に取付けてＬＥＤ基板１７とし、このＬＥＤ基板１７を放熱器２の表面９に取着してＬＥＤユニット１を構成し、そして複数のＬＥＤユニット１，１・・を固定用ブラケット３の上板１４と下板１５の間に所定の空間を設けて取付けている。【選択図】    図１
2010225368.tif 000002
【特許請求の範囲】
【請求項１】
複数のＬＥＤチップを備えたＬＥＤ照明装置において、複数のＬＥＤチップを基板に取付けてＬＥＤ基板とし、このＬＥＤ基板を放熱器の表面に取着してＬＥＤユニットを構成し、そして複数のＬＥＤユニットを固定用ブラケットの上板と下板の間に所定の空間を設けて取付けたことを特徴とするＬＥＤ照明装置。
【請求項２】
上記複数のＬＥＤユニットを、同一方向を向いて上記固定用ブラケットに配列して取付けた請求項１記載のＬＥＤ照明装置。
【請求項３】
上記複数のＬＥＤユニットを、放射状に上記固定用ブラケットに配列して取付けた請求項１記載のＬＥＤ照明装置。
【請求項４】
上記固定用ブラケットの背面板に電源ボックスを取付けた請求項１、請求項２、又は請求項３記載のＬＥＤ照明装置。
【請求項５】
上記固定用ブラケットの背後に取付けブラケットを設けた請求項１、請求項２、請求項３、又は請求項４記載のＬＥＤ照明装置。
【発明の詳細な説明】
【技術分野】
【０００１】
本発明は発光ダイオード（ＬＥＤチップ）を用いた照明装置に関するものである。
【背景技術】
【０００２】
昔は、光源として白熱灯や蛍光灯を用いた照明装置が主であり、この照明では可視光以外に赤外線や紫外線も放射されており、このような可視光以外の光が被照射物に良くない影響を与えていることが多かった。また、このような照明装置では光源の寿命が比較的短く、時々交換することが必要と成っている。
【０００３】
近年では高輝度の発光ダイオード（ＬＥＤ）が使用されることも多く、このような単体のＬＥＤを基板上に複数個実装してモジュール化することにより、赤外線や紫外線等の有害光線が放射されない照明装置が使用されてきている。そして、ＬＥＤ照明装置では、白熱灯や蛍光灯のような光源に比較して寿命が長く、ランプ交換等のメンテナンスが楽であり、使い勝手が良いという利点がある。
【０００４】
特開２００４−２６５７２４号に係る「照明器具」は、半導体発光素子の光束の低下を抑制することができるとともに輝度ムラを低減させることができる照明器具である。
そこで、足元灯は、内部空間を有したケースを備えている。ケースは前面が開口しており、かつ後面が閉口している。ケースの内部には基板が収容されている。基板の中央部には複数のＬＥＤが実装されており、基板の外周部にはＬＥＤが実装された実装部分の外側に位置するように、かつほぼ等間隔に複数の抵抗体が実装されている。
【０００５】
特開２００５−１０８５４４号に係る「ＬＥＤ照明装置」は、高輝度のＬＥＤ照明装置として複数のＬＥＤランプを搭載しても十分な放熱効果を発揮し、かつ舞台照明などに用いる際にも十分に軽量化され、冷却ファンのない静かなＬＥＤ照明装置である。
そこで、複数のＬＥＤランプがアレイ状に表面に配設され、表裏面にＬＥＤランプの配線パターンが形成されたＬＥＤ基板と、配線パターンに電気的に接続され、ＬＥＤランプを制御する制御基板とが相互に対向するように、開口部を有する筐体内に開口部を照射面として設置されてなるＬＥＤ照明装置であり、ＬＥＤ基板を貫通する貫通孔が、複数のＬＥＤランプに囲まれるように形成されている。
【０００６】
このように色々なＬＥＤ照明装置が知られているが、従来の一般的なＬＥＤ照明装置では、複数のＬＥＤチップを１枚のプリント基板上にまとめて実装し、これに大きな放熱板を貼り付けた構造と成っている。さらに、ＬＥＤ基板と放熱板を組み合わせて電源ユニットを取付け、それの外側を樹脂製のカバーで被覆した構造としている。しかし、このような構造では外形サイズを自由に変更することが出来ず、搭載可能なＬＥＤチップの個数は外形サイズによって限定されてしまい、必要な光量（明るさ）に対して応えることが出来ない。
【特許文献１】特開２００４−２６５７２４号に係る「照明器具」
【特許文献２】特開２００５−１０８５４４号に係る「ＬＥＤ照明装置」
【発明の開示】
【発明が解決しようとする課題】
【０００７】
このように、従来のＬＥＤ照明装置には上記のごとき問題がある。本発明が解決しようとする課題はこれら問題点であり、ＬＥＤチップの実装個数を自由に変更することが出来、必要に応じた光量が得られ、しかもメンテナンスが楽なＬＥＤ照明装置を提供する。
【課題を解決するための手段】
【０００８】
本発明に係るＬＥＤ照明装置は複数のＬＥＤユニットを有し、このＬＥＤユニットは固定用ブラケットに取付けられている。ここで、ＬＥＤユニットとは基板に複数のＬＥＤチップを取着したＬＥＤ基板を放熱器の表面にネジ止めなどで取付けた構造としている。そして、該ＬＥＤユニットには保護カバーが取付けられて、ＬＥＤ基板を被覆している。
【０００９】
そこで、放熱器の表面に上記ＬＥＤ基板が取着されて構成したＬＥＤユニットが１組となって固定用ブラケットに取付けられる。すなわち、ＬＥＤユニットを構成している放熱器の上片と下片が固定用ブラケットにネジ止めされている。そして、固定用ブラケットには電源ボックスが取着され、該電源ボックスと上記ＬＥＤ基板は接続されている。また、ＬＥＤ照明装置を所定の場所に装着する為に該固定ブラケットには取付けブラケットを設けている。
【発明の効果】
【００１０】
本発明に係るＬＥＤ照明装置は、複数のＬＥＤチップを備えているが、複数のＬＥＤチップを基板に取付けてＬＥＤ基板とし、該ＬＥＤ基板を放熱器の表面に取付けてＬＥＤユニットを構成している。そこで、このＬＥＤユニットの個数を必要に応じて増減することが出来、要求される明るさに応じて固定用ブラケットに取付けられる。該固定用ブラケットを少し大きめに製作することで、必要に応じた複数のＬＥＤユニットを配列して取付けることが可能である。
【００１１】
そして、ＬＥＤ基板は放熱器の正面に取付けられ、放熱器の上片と下片が固定用ブラケットにネジ止めされるが、取付け構造は至って簡単であると共に、その向きを変えることで照射される領域を増減出来、又は変更することが出来る。そして、ＬＥＤチップが故障した際には、ＬＥＤ基板ごと交換でき、又はＬＥＤユニットごと交換可能であり、ＬＥＤ照明装置を下ろして補修する必要はない。
【図面の簡単な説明】
【００１２】
【図１】本発明に係るＬＥＤ照明装置を示す実施例。
【図２】ＬＥＤ基板の具体例。
【図３】ＬＥＤユニットの展開図。
【図４】図１のＡ−Ａ断面図。
【図５】本発明に係るＬＥＤ照明装置を示す他の実施例。
【発明を実施するための形態】
【００１３】
図１は本発明に係るＬＥＤ照明装置を示す実施例である。同図の１はＬＥＤユニット、２は放熱器、３は固定用ブラケット、４は電源ボックス、５は取付けブラケットを夫々示している。上記ＬＥＤユニット１は基板６に複数のＬＥＤチップ７，７・・・を配列してハンダ付けしたＬＥＤ基板１７を放熱器２に取付けて構成したものである。
【００１４】
図２はＬＥＤ基板１７を示す具体例であり、細長い長方形の基板６に７個のＬＥＤチップ７，７・・・がハンダ付けにて固定されている。そして該基板６の所々には穴８，８・・・が設けられ、この穴８，８・・・にネジが挿通して放熱器２に取付けられ、ＬＥＤユニット１となる。同図に示すＬＥＤ基板１７は７個のＬＥＤチップ７，７・・・を取付けているが、この個数に限定するものではない。勿論、基板６の大きさ並びに形状も自由である。
【００１５】
図３は展開したＬＥＤユニット１を示している。放熱器２は表面９から後方へ複数の放熱板１０，１０・・・が水平に延び、各放熱板１０，１０・・・の間には隙間１１，１１・・・が形成されている。そこで、該ＬＥＤ基板１７は該放熱器２の表面９に重ねられてネジ止めされる。そして、ＬＥＤ基板１７を被覆する為の保護カバー１８が取付けられてＬＥＤユニット１が構成される。該保護カバー１８は一般に透明な樹脂を成形して作られ、ＬＥＤチップ７，７・・・から放射する光はこの保護カバー１８を通過して周りを照射する。ここで、該保護カバー１８を透明ではなく、乳白色やスリガラス調とする場合もある。
【００１６】
ＬＥＤチップ７，７・・・が点灯することで発生する熱は放熱器２の表面９に伝わるが、複数枚の放熱板１０，１０・・・にて冷却される。ところで、ＬＥＤ基板１７を取付けた放熱器２は前記図１に示すように固定用ブラケット３に取着される。図４にはＬＥＤ基板１７を備えた放熱器２が固定用ブラケット３に取付けられた状態で、図１のＡ−Ａ断面を示している。
【００１７】
放熱器２の上端には上片１２を有し、下端には下片１３を有している。そして、固定用ブラケット３は正面側を開口して上板１４と下板１５を有すコ形を成し、上記放熱器２の表面９にＬＥＤ基板１７を取付けて構成しているＬＥＤユニット１は上板１４と下板１５の間に挟まれてネジ止めされる。
【００１８】
図１に示す実施例では８基のＬＥＤユニット１，１・・・が固定用ブラケット３に取付けられている。そして、固定用ブラケット３の背面板１６には上記ＬＥＤユニット１，１・・・のＬＥＤ基板１７，１７・・・へ電気を供給する電源ボックス４が取付けられている。電源ボックス４へは外部から供給される電気をＬＥＤチップ７，７・・・へ供給して点灯する為の電気機器及び電気部品が備わっているが、本発明ではこの電源ボックス４を構成する具体的な電気回路は限定しない。
【００１９】
そして、固定用ブラケット３の背後には取付けブラケット５を設けている。この取付けブラケット５はコ形を成し、その上板と下板が固定用ブラケット３にネジ止めされており、該取付けブラケット５を介してＬＥＤ照明装置は所定の場所に装着され、周囲を照射することが出来る。
【００２０】
図５は本発明に係るＬＥＤ照明装置を示す他の実施例である。このＬＥＤ照明装置も、ＬＥＤ基板１７，１７・・・を放熱器２の表面９に取付けると共に、保護カバー１８を被覆したＬＥＤユニット１，１・・・が固定用ブラケット３に取付けて構成している。しかし、前記図１のＬＥＤ照明装置では、各ＬＥＤユニット１，１・・・が互いに平行を成して取付けられているが、図５の場合のＬＥＤ照明装置では、ＬＥＤユニット１，１・・・の向きを変えて取付けられている。
【００２１】
ＬＥＤユニット１，１・・・の向きが変わることで、表面のＬＥＤ基板１７，１７・・・及びＬＥＤチップ７，７・・・の向きも変わり、図５では放射状に配列した構造と成っている。７基のＬＥＤユニット１，１・・・が放射状に配列して取付けられることで、中央のＬＥＤユニット１は正面を向き、両側のＬＥＤユニット１，１・・・は外側を向いている。
【００２２】
すなわち、本発明のＬＥＤ照明装置は互いに独立した複数のＬＥＤユニット１，１・・・が間に所定の空間を介在して固定用ブラケット３に取付けられ、その為に、各ＬＥＤユニット１，１・・・の向きは自由に調整できる。従って、図５に示しているごとく放射状に配列することで照射する領域を拡大したり、全てのＬＥＤユニット１，１・・・の向きをある方向へ向けて配列することで、照射する領域を変更したりすることが出来る。
【００２３】
ところで、ＬＥＤユニット１，１・・・を取付ける固定用ブラケット３の上板１４及び下板１５は、前記図１、図５に示す実施例では長方形をしている。図１のＬＥＤ照明装置のごとく、各ＬＥＤユニット１，１・・・が正面を向いて互いに平行に取付けられる場合であれば、長方形の上板１４及び下板１５にてＬＥＤユニット１，１・・・を挟み込んで取付ければよいが、図５のように放射状に配列する場合には、上板１４及び下板１５の形状を扇形とすることも出来る。
【００２４】
上記ＬＥＤユニット１，１・・・は固定用ブラケット３の上板１４と下板１５に挟まれてネジ止めされ、その為に該ＬＥＤユニット１，１・・・の着脱は簡単に行うことが出来、又ＬＥＤチップ７，７・・・が故障した時には、新たなＬＥＤユニット１に交換することが簡単に出来る。そして、ＬＥＤユニット１，１・・・の間には、所定の空間が形成されていることで、放熱器２による放熱と共に放熱効果を向上させている。
【符号の説明】
【００２５】
１  ＬＥＤユニット
２  放熱器
３  固定用ブラケット
４  電源ボックス
５  取付けブラケット
６  基板
７  ＬＥＤチップ
８  穴
９  表面
10  放熱板
11  隙間
12  上片
13  下片
14  上板
15  下板
16  背面板
17  ＬＥＤ基板
18  保護カバー
【図１】
2010225368.tif 000003
【図２】
2010225368.tif 000004
【図３】
2010225368.tif 000005
【図４】
2010225368.tif 000006
【図５】
2010225368.tif 000007